Podtech/llm-jp-corpus-v4-ja_patent huggingface dataset:
【手続補正書】
【提出日】平成18年10月3日(2006.10.3)
【手続補正１】
【補正対象書類名】明細書
【補正対象項目名】特許請求の範囲
【補正方法】変更
【補正の内容】
【特許請求の範囲】
【請求項１】
投射型画像表示手段と、指示具によって発光された光によって指示される指示位置を検出する指示位置検出手段とを具備する座標入力装置であって、
前記投射型画像表示手段の投射光学系の少なくとも画角又は歪み補正状態のいずれか一方を検出して補正情報を出力する補正情報検出手段と、
前記補正情報検出手段により出力される前記補正情報を用いて、前記指示位置検出手段により検出された信号から、前記指示位置に応じた座標出力信号を生成する座標演算手段と、
を有することを特徴とする座標入力装置。
【請求項２】
投射型画像表示手段と、指示具によって発光された光によって指示される指示位置を検出する指示位置検出手段とを具備する座標入力装置であって、
少なくとも前記投射型画像表示手段の映写画像の大きさ又は歪みの少なくとも一方である画面補正情報を用いて、前記指示位置検出手段により検出された信号から、前記座標入力領域内における前記指示位置に応じた座標出力信号を生成する座標演算手段と、
を有することを特徴とする座標入力装置。
【請求項３】
前記指示位置検出手段は、
直交するＸＹ２軸方向の座標をそれぞれ検出する２組のセンサを有し、
前記２組のセンサの少なくとも一つの軸方向が前記投射型画像表示手段の投射レンズの光軸とほぼ一致するように配置されていることを特徴とする請求項１又は２に記載の座標入力装置。
【請求項４】
前記２組のセンサは、複数の光電変換センサが直線上に配列されたセンサアレイと、
前記センサアレイのそれぞれからの出力電荷を所定の周期に同期して点灯時と非点灯時の信号を別々に積分して保持する電荷転送部を具備する積分手段とを有し、
前記座標演算手段は、前記積分手段の点灯時と非点灯時の差分信号をｎビット以上のデータ幅でデジタル化して座標演算を行ない、前記センサアレイの画素数の約２のｎ乗倍の分解能の座標値を出力することを特徴とする請求項３に記載の座標入力装置。
【請求項５】
投射型画像表示部と、指示具によって発光された光によって指示される指示位置を検出する指示位置検出手段とを具備する座標入力装置における座標入力方法であって、
前記投射型画像表示部の投射光学系の画角又は歪み補正状態を検出して補正情報を出力する検出工程と、
前記検出工程で出力される前記補正情報を用いて、前記指示位置検出手段で検出された信号から、前記座標入力領域内における前記指示位置に応じた座標出力信号を生成する座標演算工程と、
を有することを特徴とする座標入力方法。
【請求項６】
投射型画像表示部と、指示具によって発光された光によって指示される指示位置を検出する指示位置検出手段とを具備する座標入力装置における座標入力方法であって、
前記投射型画像表示部の映写画像の大きさ又は歪みの画面補正情報を用いて、前記指示位置検出手段で検出された信号から、前記座標入力領域内における前記指示位置に応じた座標出力信号を生成する座標演算工程と、
を有することを特徴とする座標入力方法。
【請求項７】
前記撮像部は、
直交するＸＹ２軸方向の座標をそれぞれ検出する２組のセンサを有し、
前記２組のセンサの少なくとも一つの軸方向が前記投射型画像表示部の投射レンズの光軸とほぼ一致するように配置されていることを特徴とする請求項５又は６に記載の座標入力方法。
【請求項８】
前記２組のセンサは、複数の光電変換センサが直線上に配列されたセンサアレイと、
前記センサアレイのそれぞれからの出力電荷を所定の周期に同期して点灯時と非点灯時の信号を別々に積分して保持する電荷転送部を具備する積分部とを有し、
前記座標演算部は、前記積分部の点灯時と非点灯時の差分信号をｎビット以上のデータ幅でデジタル化して座標演算を行ない、前記センサアレイの画素数の約２のｎ乗倍の分解能の座標値を出力することを特徴とする請求項７に記載の座標入力方法。
【手続補正２】
【補正対象書類名】明細書
【補正対象項目名】０００７
【補正方法】変更
【補正の内容】
【０００７】
【課題を解決するための手段】
上記目的を達成するために本発明の座標入力装置は以下のような構成を備える。即ち、
投射型画像表示手段と、指示具によって発光された光によって指示される指示位置を検出する指示位置検出手段とを具備する座標入力装置であって、
前記投射型画像表示手段の投射光学系の少なくとも画角又は歪み補正状態のいずれか一方を検出して補正情報を出力する補正情報検出手段と、
前記補正情報検出手段により出力される前記補正情報を用いて、前記指示位置検出手段により検出された信号から、前記指示位置に応じた座標出力信号を生成する座標演算手段と、を有することを特徴とする。
【手続補正３】
【補正対象書類名】明細書
【補正対象項目名】０００８
【補正方法】変更
【補正の内容】
【０００８】
上記目的を達成するために本発明の座標入力装置は以下のような構成を備える。即ち、
投射型画像表示手段と、指示具によって発光された光によって指示される指示位置を検出する指示位置検出手段とを具備する座標入力装置であって、
少なくとも前記投射型画像表示手段の映写画像の大きさ又は歪みの少なくとも一方である画面補正情報を用いて、前記指示位置検出手段により検出された信号から、前記座標入力領域内における前記指示位置に応じた座標出力信号を生成する座標演算手段と、を有することを特徴とする。
【手続補正４】
【補正対象書類名】明細書
【補正対象項目名】０００９
【補正方法】変更
【補正の内容】
【０００９】
上記目的を達成するために本発明の座標入力方法は以下のような工程を備える。即ち、
投射型画像表示部と、指示具によって発光された光によって指示される指示位置を検出する指示位置検出手段とを具備する座標入力装置における座標入力方法であって、
前記投射型画像表示部の投射光学系の画角又は歪み補正状態を検出して補正情報を出力する検出工程と、
前記検出工程で出力される前記補正情報を用いて、前記指示位置検出手段で検出された信号から、前記座標入力領域内における前記指示位置に応じた座標出力信号を生成する座標演算工程と、を有することを特徴とする。
【手続補正５】
【補正対象書類名】明細書
【補正対象項目名】００１０
【補正方法】変更
【補正の内容】
【００１０】
上記目的を達成するために本発明の座標入力方法は以下のような工程を備える。即ち、
投射型画像表示部と、指示具によって発光された光によって指示される指示位置を検出する指示位置検出手段とを具備する座標入力装置における座標入力方法であって、
前記投射型画像表示部の映写画像の大きさ又は歪みの画面補正情報を用いて、前記指示位置検出手段で検出された信号から、前記座標入力領域内における前記指示位置に応じた座標出力信号を生成する座標演算工程と、を有することを特徴とする。
【手続補正書】
【提出日】平成18年10月4日(2006.10.4)
【手続補正１】
【補正対象書類名】明細書
【補正対象項目名】特許請求の範囲
【補正方法】変更
【補正の内容】
【特許請求の範囲】
【請求項１】
スタート信号入力端子とクロック端子とを有するアドレス信号発生部と、アドレス信号にもとづいて選択パルスを発生する走査電極駆動部を有し、走査電極の選択アドレスを行うシフトレジスターと、走査電極の非選択時に非選択電圧を出力し、走査電極の選択時には選択電圧を出力し、選択電圧の極性が外部信号によって制御される出力回路であるレベルシフターバッファと、外部信号によって全出力回路から非選択電圧を強制的に出力させる手段を有する液晶パネルの走査電極駆動回路において、
第１の期間においてクロックに同期して前記シフトレジスターに出力する信号が前記シフトレジスタのアドレスのうち非表示アドレスを活性化し表示領域のアドレスを非活性化とし、第２の期間では該シフトレジスターにスタート信号を出力するデータ信号出力手段を備えることを特徴とする液晶パネルの走査電極駆動回路。
【請求項２】
前記第１の期間の前記クロック出力を出力している期間と、前記第２の期間の非表示領域をアドレスする期間とにおいて、前記出力回路は非選択電圧を出力することを特徴とする請求項１に記載の液晶パネルの走査電極駆動回路。
【請求項３】
前記データ信号出力の出力する信号が、データ信号、リセット信号、セット信号であることを特徴とする請求項１または請求項２に記載の液晶パネルの走査電極駆動回路。
【請求項４】 スタート信号とクロックによりアドレス信号を発生し、アドレス信号のタイミングで選択パルスを発生するパッシブ型の液晶パネルの駆動方法において、リセット信号ないしセット信号が入力し、非表示走査電極のアドレスをセットし、該非表示走査電極に選択パルスを印加し、休止期間に入り、該休止期間ないし休止期間直後に表示走査電極の先頭アドレスを設定し、該表示走査電極から表示走査電極を順次選択することを特徴とする液晶パネルの駆動方法。
【請求項５】 上記休止期間を第２の休止期間とし、第１の休止期間でセット信号が入力し全アドレスをセットしてからクロックとスタート信号が入力し表示走査電極のアドレスをリセットすることを特徴とする請求項４に記載の液晶パネルの駆動方法。
【請求項６】 上記休止期間を第２の休止期間とし、第１の休止期間でリセット信号が入力し全アドレスをリセットしてからクロックとスタート信号が入力し非表示走査電極のアドレスをセットすることを特徴とする請求項４に記載の液晶パネルの駆動方法。
【請求項７】 スタート信号とクロックによりアドレス信号を発生し、アドレス信号のタイミングで選択パルスを発生するパッシブ型の液晶パネルの駆動方法において、第一の休止期間でリセット信号が入力し全アドレスをリセットしてから、クロックが入力し全
表示走査電極のアドレスをセットし、全アドレス信号を反転し非表示走査電極に選択パルスを印加し、第２の休止期間に入り、該休止期間ないし休止期間直後に表示走査電極の先頭アドレスを設定し、該表示走査電極から表示走査電極を順次選択することを特徴とする液晶パネルの駆動方法。
【手続補正書】
【提出日】平成18年3月17日(2006.3.17)
【手続補正１】
【補正対象書類名】明細書
【補正対象項目名】００３５
【補正方法】変更
【補正の内容】
【００３５】
ステップＳＴ９では、Sample_ＰＤＩＡＧ- Stateに遷移して、ステップＳＴ１０からの処理によってスレーブ側で終了した自己診断結果の判別を行う。ステップＳＴ１０ではＰＤＩＡＧ-信号がアサートされているか否かを判別する。ここで、ＰＤＩＡＧ-信号がアサートされていると判別されていないときにはステップＳＴ１１に進み、経過時間Ｔｐが４５０ms以内であるか否かの判別を行い、経過時間Ｔｐが４５０ms以内であるときにはステップＳＴ１０に戻り、引き続きＰＤＩＡＧ-信号がアサートされているか否かの判別を行う。また、経過時間Ｔｐが４５０msを超えるとステップＳＴ１２に進み、経過時間Ｔｐが３１秒以内であるか否かの判別を行う。ここで、経過時間Ｔｐが３１秒以内であるときにはステップＳＴ１０に戻り、経過時間Ｔｐが３１秒よりも大きくなったときには、スレーブ側は存在するが自己診断結果は異常と判別されて、ＡＴＡインタフェース制御回路４０１におけるエラーレジスタのビットｂ７を「１」に設定することで、スレーブ側は異常であることが示されてステップＳＴ１４に進む。
【手続補正２】
【補正対象書類名】図面
【補正対象項目名】図３
【補正方法】変更
【補正の内容】
【図３】
2001109700.tif 000001
【手続補正書】
【提出日】平成18年9月29日(2006.9.29)
【手続補正１】
【補正対象書類名】明細書
【補正対象項目名】発明の名称
【補正方法】変更
【補正の内容】
【発明の名称】焼成用感光性ペーストおよびディスプレイ用部材
【手続補正２】
【補正対象書類名】明細書
【補正対象項目名】特許請求の範囲
【補正方法】変更
【補正の内容】
【特許請求の範囲】
【請求項１】５０〜９５重量％の無機微粒子と５〜５０重量％の有機成分からなり、有機成分が、脂肪酸アミド、脂肪酸エステル、脂肪族炭化水素、高級脂肪酸、高級アルコール、脂肪酸金属塩から選ばれる少なくとも１種の化合物を含有することを特徴とする焼成用感光性ペースト。
【請求項２】請求項１記載のパターン形成用ペーストを用いて製造したことを特徴とするディスプレイ用部材。
【手続補正３】
【補正対象書類名】明細書
【補正対象項目名】０００５
【補正方法】変更
【補正の内容】
【０００５】
【課題を解決するための手段】すなわち本発明は、５０〜９５重量％の無機微粒子と５〜５０重量％の有機成分からなり、有機成分が、脂肪酸アミド、脂肪酸エステル、脂肪族炭化水素、高級脂肪酸、高級アルコール、脂肪酸金属塩から選ばれる少なくとも１種の化合物を含有することを特徴とするパターン形成用ペーストである。
【手続補正４】
【補正対象書類名】明細書
【補正対象項目名】０００６
【補正方法】削除
【補正の内容】
【手続補正書】
【提出日】平成18年10月6日(2006.10.6)
【手続補正１】
【補正対象書類名】明細書
【補正対象項目名】特許請求の範囲
【補正方法】変更
【補正の内容】
【特許請求の範囲】
【請求項１】  基板上に感光性材料の薄膜を形成する工程、前記薄膜を波長１０〜２００ｎｍの放射線に選択的に露光させる工程、及び前記露光部又は未露光部を現像処理して選択的に除去する工程を含む微細パターン形成方法において、前記感光性材料として、その中に含まれる総原子数、炭素原子数及び酸素原子数から次式に従って求められるＫ値が３．３以下、
Ｋ＝総原子数／（炭素原子数−酸素原子数）
薄膜形成後の膜中残留応力１５ＭＰａ／μｍ以下、放射線に対する吸収係数１／μｍ以下のものを用いることを特徴とする微細パターン形成方法。
【請求項２】  基板上に感光性材料の薄膜を形成する工程、前記薄膜を波長１０〜２００ｎｍの放射線に選択的に露光させる工程、及び前記露光部又は未露光部を現像処理して選択的に除去する工程を含む微細パターン形成方法において、前記感光性材料として、薄膜形成時の膜内応力σ0が１５ＭＰａ／μｍ以上、温度８０〜１６０℃において５分間熱処理した後の膜内応力σpの変化が前記薄膜形成時の膜内応力σ0に対して１０％以内である感光性材料を用いることを特徴とする微細パターン形成方法。
【請求項３】  基板上に、厚さ１．５μｍ以上の感光性材料の薄膜を形成する工程、前記薄膜を波長１０〜２００ｎｍの放射線に選択的に露光させる工程、及び前記露光部又は未露光部を現像処理して選択的に除去する工程を含む微細パターン形成方法において、前記感光性材料として薄膜形成時の膜内応力が１０ＭＰａ／μｍ以下、放射線に対する吸収係数１／μｍ以下である感光性材料を用いることを特徴とする微細パターン形成方法。
【請求項４】  前記感光性材料が脂環族炭化水素基をもつ樹脂を主成分としてなる請求項１、２又は３記載の微細パターン形成方法。
【請求項５】  脂環族炭化水素基をもつ樹脂が、アクリル酸若しくはメタクリル酸の脂環族炭化水素基エステル樹脂、シクロオレフィン系樹脂、ノルボルネン系樹脂及びそれらの複合樹脂の中から選ばれた少なくとも１種である請求項４記載の微細パターン形成方法。
【請求項６】  半導体基板上に形成した絶縁層及び配線層の少なくとも１つの層上に、感光性材料の薄膜を形成し、前記薄膜を選択的に露光したのち、現像し、所定のレジストマスクパターンを形成する工程を含む半導体装置の製造方法において、請求項１ないし５のいずれかに記載の微細パターン形成方法を用いてレジストマスクパターンを形成させることを特徴とする半導体装置の製造方法。
【請求項７】  基板上に第一の感光性材料を用いて第１の薄膜を形成する工程、
前記第一の薄膜を波長１０〜２００ｎｍの放射線に選択的に露光させる工程、
前記露光部又は未露光部を現像処理によって選択的に除去して第一のマスクパターンを形成する工程、
前記第一のマスクパターンを用いて前記基板を食刻加工する工程、
前記基板上に第二の感光性材料を用いて第二の薄膜を形成する工程、
前記第二の薄膜を波長１０〜２００ｎｍの放射線に選択的に露光させる工程、
前記露光部又は未露光部を現像処理によって選択的に除去して第二のマスクパターンを形成する工程、及び
前記第二のマスクパターンを用いて前記基板を食刻加工する工程とを含む半導体装置の製造方法において、
前記薄膜形成時における第一の薄膜の膜中残留応力をσ1、第二の薄膜の膜中残留応力をσ2としたとき両者の差（σ2−σ1）を２ＭＰａ以上にすることを特徴とする半導体装置の製造方法。
【請求項８】  第一の感光性材料を用いて半導体の第一の基板上に第一の薄膜を形成する工程、
第一の光学的マスクを介して、前記第一の薄膜を波長１０〜２００ｎｍの放射線に露光させ、マスクパターンを転写する工程、
前記露光部又は未露光部を現像処理によって選択的に除去し第一のマスクパターンを形成する工程、
前記第一のマスクパターンを用いて前記基板を食刻する工程、
第二の感光性材料を用いて前記半導体の第二の基板上に第二の薄膜を形成する工程、
第二の光学的マスクを介して、前記第二の薄膜に波長１０〜２００ｎｍの放射線を露光させ、マスクパターンを転写する工程、
前記露光部又は未露光部を現像処理によって選択的に除去し第二のマスクパターンを形成する工程、及び
前記第二のマスクパターンを用いて前記基板を食刻する工程とを含む半導体装置の製造方法において、
前記薄膜形成時における第一の薄膜の膜中残留応力をσ1、第二の薄膜の膜中残留応力をσ2としたとき両者の差（σ2−σ1）を２ＭＰａ以上にすることを特徴とする半導体装置の製造方法。
【請求項９】  前記感光性材料の前記露光放射線の波長に対する吸収係数が１／μｍ以下である請求項８記載の半導体装置の製造方法。
【請求項１０】  上記第一の基板がゲート及び配線層であり、上記第二の基板がそれ以外の領域を含む層である請求項８記載のＭＯＳ型半導体装置の製造方法。
【請求項１１】  樹脂中に含まれる総原子数、炭素原子数及び酸素原子数から次式に従って求められるＫ値が３．３以下、
Ｋ＝総原子数／（炭素原子数−酸素原子数）
薄膜形成後の膜中残留応力１５ＭＰａ／μｍ以下、放射線に対する吸収係数１／μｍ以下の脂環族炭化水素基をもつ樹脂を主成分としてなることを特徴とする微細パターン形成用感光性材料。
【請求項１２】  薄膜を形成したときに膜内応力σ0が１５ＭＰａ／μｍ以上、温度８０〜１６０℃において５分間熱処理した後の膜内応力σpの変化が上記σ0に対して１０％以内である脂環族炭化水素基をもつ樹脂を主成分としてなる微細パターン形成用感光性材料。
【請求項１３】  脂環族炭化水素基をもつ樹脂が、アクリル酸若しくはメタクリル酸の脂環族炭化水素基エステル樹脂、シクロオレフィン系樹脂、ノルボルネン系樹脂及びそれらの複合樹脂の中から選ばれた少なくとも１種である請求項１１又は１２記載の微細パターン形成用感光性材料。
【手続補正書】
【提出日】平成18年10月4日(2006.10.4)
【手続補正１】
【補正対象書類名】明細書
【補正対象項目名】特許請求の範囲
【補正方法】変更
【補正の内容】
【特許請求の範囲】
【請求項１】
像担持体と、前記像担持体と圧接ニップ部を形成し該圧接ニップ部に挿入された転写材に像担持体上のトナー像を転写させる転写部材と、前記転写部材に電圧を印加する電圧印加手段と、前記電圧印加手段から出力される電流値を検知する電流検知回路と、印字動作前の前記転写部材の抵抗を検知する抵抗検知手段とを有する画像形成装置において、
前記圧接ニップ部に転写材が挿入されてから一定時間後の前記電流検知回路の電流検知結果に応じて前記電圧印加手段の出力電圧を補正する電圧補正手段を有し、前記電圧印加手段の出力電圧の補正値を前記抵抗検知手段による印字動作前の前記転写部材の抵抗検知結果と、前記電流検知結果に応じて変化させる事を特徴とする画像形成装置。
【請求項２】
前記電圧印加手段の出力電圧の補正値が、前記抵抗検知手段による印字動作前の前記転写部材の抵抗検知結果が大の場合は小さく、前記転写部材の抵抗検知結果が小の場合は大きく設定されている事を特徴とする請求項１に記載の画像形成装置。
【請求項３】
前記電圧印加手段の出力電圧の補正アルゴリズムを、前記抵抗検知手段による印字動作前の前記転写部材の抵抗検知結果に応じて変化させる事を特徴とする請求項１に記載の画像形成装置。
【手続補正２】
【補正対象書類名】明細書
【補正対象項目名】０００６
【補正方法】変更
【補正の内容】
【０００６】
そのため、多くの画像形成装置では転写材サイズによらず適正電流を流すために「定電圧印加方式」を行っている。定電圧印加方式では製造条件や環境によって変化する転写ローラの抵抗値に対し適正な電流を流すために、転写動作以前に、通紙時に転写ローラへ流す一定電流値を転写ローラに流し、そのときに発生する電圧を保持して転写時に印加するバイアス制御方式（ＡＴＶＣ制御方式：ActＩve Transfer Voltage Control ）や、通紙前にある一定電流値を転写ローラに流し、そのときの発生電圧をあらかじめ決められた制御式に入れて算出した電圧を転写時に印加するバイアス制御方式（ＰＴＶＣ制御方式：Programable Transfer Voltage Control）などによって通紙以前の転写の系のインピーダンスを検知し、適正範囲の電流が流れるような転写電圧を印加している。
【手続補正３】
【補正対象書類名】明細書
【補正対象項目名】００１７
【補正方法】変更
【補正の内容】
【００１７】
（１）像担持体と、前記像担持体と圧接ニップ部を形成し該圧接ニップ部に挿入された転写材に像担持体上のトナー像を転写させる転写部材と、前記転写部材に電圧を印加する電圧印加手段と、前記電圧印加手段から出力される電流値を検知する電流検知回路と、印字動作前の前記転写部材の抵抗を検知する抵抗検知手段とを有する画像形成装置において、
前記圧接ニップ部に転写材が挿入されてから一定時間後の前記電流検知回路の電流検知結果に応じて前記電圧印加手段の出力電圧を補正する電圧補正手段を有し、前記電圧印加手段の出力電圧の補正値を前記抵抗検知手段による印字動作前の前記転写部材の抵抗検知結果と、前記電流検知結果に応じて変化させる事を特徴とする画像形成装置。
【手続補正４】
【補正対象書類名】明細書
【補正対象項目名】００１８
【補正方法】変更
【補正の内容】
【００１８】
（２）前記電圧印加手段の出力電圧の補正値が、前記抵抗検知手段による印字動作前の前記転写部材の抵抗検知結果が大の場合は小さく、前記転写部材の抵抗検知結果が小の場合は大きく設定されている事を特徴とする（１）に記載の画像形成装置。
【手続補正５】
【補正対象書類名】明細書
【補正対象項目名】００１９
【補正方法】変更
【補正の内容】
【００１９】
（３）前記電圧印加手段の出力電圧の補正アルゴリズムを、前記抵抗検知手段による印字動作前の前記転写部材の抵抗検知結果に応じて変化させる事を特徴とする（１）に記載の画像形成装置。
【手続補正６】
【補正対象書類名】明細書
【補正対象項目名】００２６
【補正方法】変更
【補正の内容】
【００２６】
１は像担持体たる感光ドラムであり、ＯＰＣ、アモルファスＳｉ等の感光材料をアルミニウムやニッケル等のシリンダ状の基板上に形成して構成されており、不図示の駆動手段により矢示の時計方向に所定の周速度で回転駆動される。
【手続補正７】
【補正対象書類名】明細書
【補正対象項目名】００７０
【補正方法】変更
【補正の内容】
【００７０】
また、比較例２では、転写材の抵抗検知による転写電圧の補正をいっさい行っていないため、いずれの転写ローラ抵抗値でも高抵抗紙使用時は転写電流が不足して転写不良が発生している。
【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】  レンズ部転写パターンが形成された外周面を持つ円筒形状のレンズ型の前記外周面と透光性基材の一方の面との間に活性エネルギー線硬化性組成物を供給し、前記透光性基材を通して活性エネルギー線を照射して前記組成物を硬化し賦型して前記レンズ部転写パターンに対応する形状を持ち活性エネルギー線硬化樹脂からなるレンズ部を形成し、該レンズ部及び前記透光性基材を一体として前記レンズ型から離型することにより、少なくとも前記透光性基材の一方の面上にレンズ単位の繰り返し配列を含む前記レンズ部を備えた長尺レンズシートを連続的に形成し、該長尺レンズシートをその先端部が切断位置を経て更に進出するように走行させ所要の長さごとに切断して定尺レンズシートを製造する方法において、
レンズ型から離型した前記長尺レンズシートの走行経路中の前記切断位置より上手側の走行緩衝部にて前記長尺レンズシートの弛み量が一定値になるように前記長尺レンズシートの送り駆動を行い、前記レンズ型の回転に同期して発せられる同期信号に基づいて前記送り駆動を停止させ前記走行緩衝部より下手側の前記長尺レンズシートの走行を停止させた状態で前記切断位置で前記長尺レンズシートの切断を行い、前記長尺レンズシートの走行停止中は前記走行緩衝部で前記長尺レンズシートの弛み量を増加させ、前記切断の終了後は前記走行緩衝部での前記長尺レンズシートの弛み量が前記一定値まで減少するように前記送り駆動を増速させることを特徴とする、定尺レンズシートの製造方法。
【請求項２】  前記切断を前記レンズ型の整数回の回転ごとに行うことを特徴とする、請求項１に記載の定尺レンズシートの製造方法。
【請求項３】  前記走行緩衝部において前記長尺レンズシートを弛ませるためにダンサーロールを使用し、該ダンサーロールの上下方向の位置を検知することで前記長尺レンズシートの弛み量を検知することを特徴とする、請求項１〜２のいずれかに記載の定尺レンズシートの製造方法。
【手続補正書】
【提出日】平成18年1月11日(2006.1.11)
【手続補正１】
【補正対象書類名】明細書
【補正対象項目名】発明の名称
【補正方法】変更
【補正の内容】
【発明の名称】インクジェットヘッド及びインクジェット記録装置、画像形成装置
【手続補正２】
【補正対象書類名】明細書
【補正対象項目名】特許請求の範囲
【補正方法】変更
【補正の内容】
【特許請求の範囲】
【請求項１】
インク滴を吐出するノズルと、このノズルに連通するインク流路と、このインク流路の壁面を形成する振動板と、この振動板に対向する対向電極とを有し、前記振動板を静電気力で変形させてインク滴を吐出させるインクジェットヘッドにおいて、前記振動板が変形して接触可能な接触対向部を設け、前記振動板と接触対向部との間をスイッチング手段を介して接続したことを特徴とするインクジェットヘッド。
【請求項２】
請求項１に記載のインクジェットヘッドにおいて、前記対向電極の表面積に対する前記接触対向部の表面積の比の値が１／２を超えないことを特徴とするインクジェットヘッド。
【請求項３】
インク滴を吐出するノズルと、このノズルに連通するインク流路と、このインク流路の壁面を形成する振動板と、この振動板に対向する対向電極とを有し、前記振動板を静電気力で変形させてインク滴を吐出させるインクジェットヘッドにおいて、前記振動板が変形して接触可能で、且つ、振動板と同電位になる接触対向部を複数有し、これら複数の接触対向部を電気的に共通化したことを特徴とするインクジェットヘッド。
【請求項４】
請求項３に記載のインクジェットヘッドにおいて、前記振動板と前記電気的に共通化された複数の接触対向部との間をスイッチング手段を介して接続したことを特徴とするインクジェットヘッド。
【請求項５】
インク滴を吐出するノズルと、このノズルに連通するインク流路と、このインク流路の壁面を形成する振動板と、この振動板に対向する対向電極と、前記振動板が変形して接触可能な接触対向部とを有し、前記振動板を静電気力で変形させてインク滴を吐出させるインクジェットヘッドを搭載したインクジェット記録装置であって、前記インクジェットヘッドの前記振動板と接触対向部との間をスイッチング手段を介して接続したことを特徴とするインクジェット記録装置。
【請求項６】
請求項５に記載のインクジェット記録装置において、前記インクジェットヘッドの前記振動板が変形して前記接触対向部に接触するまでの間は前記スイッチング手段をオフ状態とし、前記振動板が前記接触対向部に接触した後に前記スイッチング手段をオン状態にする制御手段を設けたことを特徴とするインクジェット記録装置。
【請求項７】
請求項５に記載のインクジェット記録装置において、前記インクジェットヘッドの前記振動板が変形して前記接触対向部に接触した後に前記スイッチング手段をオン状態とし、前記振動板が前記対向電極との間に駆動電圧が印加されなくなった後に前記スイッチング手段をオフ状態にする制御手段を設けたことを特徴とするインクジェット記録装置。
【請求項８】
インク滴を吐出するノズルと、このノズルに連通するインク流路と、このインク流路の壁面を形成する振動板と、この振動板に対向する対向電極と、前記振動板が変形して接触可能な接触対向部とを有し、前記振動板を静電気力で変形させてインク滴を吐出させるインクジェットヘッドを搭載した画像形成装置であって、前記インクジェットヘッドの前記振動板と接触対向部との間をスイッチング手段を介して接続したことを特徴とする画像形成装置。
【手続補正３】
【補正対象書類名】明細書
【補正対象項目名】０００１
【補正方法】変更
【補正の内容】
【０００１】
【産業上の利用分野】
本発明はインクジェットヘッド及びインクジェット記録装置、画像形成装置に関する。
【手続補正４】
【補正対象書類名】明細書
【補正対象項目名】００１２
【補正方法】変更
【補正の内容】
【００１２】
本発明は上記の点に鑑みてなされたものであり、安定したインク滴吐出動作を行うことができるインクジェットヘッド、画像品質が安定し装置構成が簡単なインクジェット記録装置及び画像形成装置を提供することを目的とする。
【手続補正５】
【補正対象書類名】明細書
【補正対象項目名】００１７
【補正方法】変更
【補正の内容】
【００１７】
本発明に係るインクジェット記録装置及び画像形成装置は、振動板が変形して接触可能な接触対向部を有するインクジェットヘッドを搭載し、このインクジェットヘッドの振動板と接触対向部との間をスイッチング手段を介して接続した構成としたものである。
【手続補正６】
【補正対象書類名】明細書
【補正対象項目名】００２０
【補正方法】変更
【補正の内容】
【００２０】
【発明の実施の形態】
以下、本発明の実施の形態を添付図面を参照して説明する。図１は本発明に係る画像形成装置としてのインクジェット記録装置の機構部の概略斜視説明図、図２は同機構部の側面説明図である。
【手続補正７】
【補正対象書類名】明細書
【補正対象項目名】００９８
【補正方法】変更
【補正の内容】
【００９８】
なお、上記各実施形態においては、本発明を振動板変位方向とインク滴吐出方向が同じになるサイドシュータ方式のインクジェットヘッドに適用したが、振動板変位方向とインク滴吐出方向と直交するエッジシュータ方式のインクジェットヘッドにも同様に適用することができる。また、前述したようにプリンタ、ファクシミリ、プロッタ等の画像形成装置及びインク液滴を吐出する装置にも本発明を適用することができる。
【手続補正８】
【補正対象書類名】明細書
【補正対象項目名】０１０３
【補正方法】変更
【補正の内容】
【０１０３】
本発明に係るインクジェット記録装置及び画像形成装置によれば、振動板が変形して接触可能な接触対向部を有するインクジェットヘッドを搭載し、このインクジェットヘッドの振動板と接触対向部との間をスイッチング手段を介して接続したので、本質的に残留電荷を発生を除去することができて、低電圧駆動化、インク滴吐出特性の安定化による画像品質の向上を図れる。
【手続補正書】
【提出日】平成18年10月12日(2006.10.12)
【手続補正１】
【補正対象書類名】明細書
【補正対象項目名】特許請求の範囲
【補正方法】変更
【補正の内容】
【特許請求の範囲】
【請求項１】
仮想メモリ・アドレスバスと、
中央処理装置、入出力ポート、および前記仮想メモリ・アドレスバスに接続されるプリントエンジンインタフェースを含む複数のバスマスタと、
物理メモリ・アドレスバスと、
前記物理メモリ・アドレスバスに接続されるプリンタメモリと、
前記仮想メモリ・アドレスバスおよび前記物理メモリ・アドレスバスに接続される、前記仮想メモリ・アドレスバスによって前記バスマスタから受け取られる仮想アドレスを物理メモリアドレスに変換するよう動作可能である、アドレス変換ユニットと、
を有するプリンタ。
【請求項２】
前記アドレス変換ユニットが、さらに、前記物理メモリ・アドレスバスによって物理メモリアドレスを変換するよう動作可能である、請求項１に記載のプリンタ。
【請求項３】
前記バスマスタの１つが、プリントエンジンインタフェースに関連付けられるダイレクト・メモリ・アクセス・コントローラを有し、前記プリンタが、前記プリントエンジンインタフェースに接続されるプリントエンジンをさらに有する、請求項２に記載のプリンタ。
【請求項４】
前記バスマスタの１つが、前記仮想メモリ・アドレスバスに接続される中央処理装置を有する、請求項３に記載のプリンタ。
【請求項５】
前記バスマスタの別の１つが、前記仮想メモリ・アドレスバスに接続される前記入出力ポートに関連付けられるダイレクト・メモリ・アクセス・コントローラを有する、請求項４に記載のプリンタ。
【請求項６】
前記アドレス変換ユニットが、前記仮想メモリ・アドレスバスによって受け取られる仮想アドレスを物理アドレスに変換して前記プリンタメモリをアドレス指定し、さらに前記物理メモリ・アドレスバスを介して該物理アドレスを前記メモリに送信するよう動作可能である、請求項１に記載のプリンタ。
【請求項７】
仮想メモリ・アドレスバスと、
物理メモリ・アドレスバスと、
前記仮想メモリ・アドレスバスに接続される中央処理装置と、
前記仮想メモリ・アドレスバスに接続される第1のダイレクト・メモリ・アクセス・コントローラを備える入出力ポートを有し、
前記第1のダイレクト・メモリ・アクセス・コントローラは、仮想メモリアドレスを使用してデータを処理するよう動作可能であり、
前記仮想メモリ・アドレスバスに接続される第２のダイレクト・メモリ・アクセス・コントローラを備えるプリントエンジンインタフェースを有し、
前記第２のダイレクト・メモリ・アクセス・コントローラは、仮想メモリアドレスを使用してデータを処理するよう動作可能であり、
前記プリントエンジンインタフェースに接続されるプリントエンジンと、
前記物理メモリ・アドレスバスに接続される、物理メモリアドレスを使用してデータを格納するよう動作可能である、プリンタメモリと、
前記仮想メモリ・アドレスバスと前記物理メモリ・アドレスバスとの間に接続される、仮想メモリアドレスと物理メモリアドレスとの間で変換するよう動作可能である、アドレス変換ユニットと、
を有するプリンタ。
【請求項８】
前記アドレス変換ユニットが、仮想メモリアドレスを対応する物理メモリアドレスにマップする変換テーブルを含み、
前記プリンタメモリが、変換プログラムを格納するリードオンリメモリを有し、該変換プログラムは、前記中央処理装置によって実行されるとき、前記変換テーブルを維持する、
請求項７に記載のプリンタ。
【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】  複数配列されたノズル孔と、それぞれのノズル孔に対応して設けられた加圧液室およびアクチュエータとを有し、ヘッドドライブ回路からの駆動信号をアクチュエータに伝達するＦＰＣの複数の電極（ＦＰＣ電極）がそれぞれ、対応するアクチュエータの電極（アクチュエータ電極）に接合されたインクジェットヘッドにおいて、ＦＰＣベースフィルムの隣り合うＦＰＣ電極間部位に欠除部が形成された状態で、前記アクチュエータ電極が前記ＦＰＣ電極に接合されていることを特徴とするインクジェットヘッド。
【請求項２】  前記欠除部は、ＦＰＣベースフィルムの端部に形成されたスリットであることを特徴とする請求項１に記載のインクジェットヘッド。
【請求項３】  前記欠除部は、ＦＰＣベースフィルムの端部に形成された開口であることを特徴とする請求項１に記載のインクジェットヘッド。
【請求項４】  複数配列されたノズル孔と、それぞれのノズル孔に対応して設けられた加圧液室およびアクチュエータとを有し、ヘッドドライブ回路からの駆動信号をアクチュエータに伝達するＦＰＣの複数の電極（ＦＰＣ電極）がそれぞれ、対応するアクチュエータの電極（アクチュエータ電極）に接合されたインクジェットヘッドの製造方法において、ＦＰＣベースフィルムの隣り合うＦＰＣ電極間部位に欠除部を形成した後、前記アクチュエータ電極と前記ＦＰＣ電極との加熱接合を、前記欠除部で分割されたＦＰＣベースフィルム部分毎にタイミングをずらして別々に行うことを特徴とするインクジェットヘッドの製造方法。
【請求項５】  前記アクチュエータ電極と前記ＦＰＣ電極との加熱接合を、これらの接合領域のみを加熱して行うことを特徴とする請求項４に記載のインクジェットヘッドの製造方法。
【請求項６】  前記欠除部の長さを前記アクチュエータ電極と前記ＦＰＣ電極との接合領域より長くするとともに、この接合領域が前記欠除部の長さ内に位置するように、この欠除部を形成することを特徴とする請求項４または５に記載のインクジェットヘッドの製造方法。
【請求項６】  前記欠除部は、ＦＰＣベースフィルムの端部に形成したスリットであることを特徴とする請求項６に記載のインクジェットヘッドの製造方法。
【請求項８】  前記欠除部は、ＦＰＣベースフィルムの端部に形成した開口であることを特徴とする請求項６に記載のインクジェットヘッドの製造方法。
【請求項９】  請求項１〜３のいずれかに記載のインクジェットヘッドを備えたことを特徴とするインクジェット記録装置。
【請求項１０】  請求項９に記載のインクジェット記録装置を備えたことを特徴とする画像形成装置。
【手続補正２】
【補正対象書類名】明細書
【補正対象項目名】００１５
【補正方法】変更
【補正の内容】
【００１５】
【発明が解決しようとする課題】
したがって本発明の第１の目的は、ドロップ・オン・デマンド型のインクジェットヘッドの構造およびその製造方法を提供すること、すなわち上記インクジェットヘッドにおけるアクチュエータ電極とＦＰＣ電極とを、簡便な構成で的確に位置合わせして接合することができる電極接合構造を提供することにある。本発明の第２の目的は、ドロップ・オン・デマンド型のインクジェットヘッドを製造する場合において、アクチュエータ電極とＦＰＣ電極とを、これらの電極を高精度に位置合わせした状態で加熱接合することができる電極接合方法を提供することである。
本発明の更なる目的は、上記構造のインクジェットヘッドを備えたインクジェット記録装置および、このインクジェット記録装置を備えた画像形成装置を提供することである。
【手続補正３】
【補正対象書類名】明細書
【補正対象項目名】００２３
【補正方法】変更
【補正の内容】
【００２３】
請求項８に記載のインクジェットヘッドの製造方法は、請求項６において前記欠除部は、ＦＰＣベースフィルムの端部に形成した開口であることを特徴とする。
また、請求項９に記載のインクジェット記録装置は、請求項１〜３のいずれかに記載のインクジェットヘッドを備えたことを特徴とする。
さらに、請求項１０に記載の画像形成装置は、請求項９に記載のインクジェット記録装置を備えたことを特徴とする。
【手続補正４】
【補正対象書類名】明細書
【補正対象項目名】００４４
【補正方法】変更
【補正の内容】
【００４４】
請求項６，７，８に係るインクジェットヘッドの製造方法では、前記欠除部の長さを、アクチュエータ電極とＦＰＣ電極との接合領域より長くするとともに、この接合領域が前記欠除部の長さ内に位置するように、この欠除部を形成するようにしたため、ＦＰＣベースフィルムにおける加熱接合領域部位が前記欠除部（スリットまたは開口）によって分断された形となるので、加熱接合時の熱膨張の影響を受けなくなる。とくに請求項８に係る製造方法は、前記欠除部として開口を形成するものであるから、前記欠除部としてスリットを形成した請求項７に係るＦＰＣベースフィルムと違って、その端部は分割されていないので、フィルム分割による累積精度の低下もない。さらに請求項８に係る製造方法では、すべてのＦＰＣ電極の両側に開口を形成することで、ＦＰＣ全体について電極接合を一度に行った場合でも、高精度な接合が可能となる。
さらに請求項９に係る発明によれば、請求項１〜３に記載され、アクチュエータ電極とＦＰＣ電極とを高精度に位置合わせしてなる高性能のインクジェットヘッドを備えたインクジェット記録装置が提供され、請求項１０に係る発明によれば、請求項９に記載の高機能インクジェット記録装置を備えた画像形成装置が提供される。
【手続補正書】
【提出日】平成17年11月9日(2005.11.9)
【手続補正１】
【補正対象書類名】明細書
【補正対象項目名】特許請求の範囲
【補正方法】変更
【補正の内容】
【特許請求の範囲】
【請求項１】  対戦ゲームのプログラム及びユーザ情報としてのアイテムに関する情報を記憶するデータベースと、インターネット又は専用線を経由して対戦ゲームのプログラムを提供するサーバとを備えたシステムにおいて、インターネット又は専用線を経由して前記サーバにアクセスして、前記サーバから対戦ゲームのプログラムをダウンロードし、前記対戦ゲームのプログラムを起動して対戦ゲームを実行する携帯端末を用いた対戦方法であって、前記データベースに記憶された複数のアイテムの中から選択されたアイテムを用いて対戦ゲームを行う場合に、前記選択されたアイテムの操作で最適な操作タイミングをゲーム進行に応じて画面の指標部に表示し、当該指標部に示されたタイミングで操作が為されると、当該アイテムが対戦相手のアイテムに対して優位性の状態にあることを示す画面が表示されることを特徴とする携帯端末を用いた対戦方法。
【請求項２】  対戦ゲームのプログラム及びユーザ情報としてのアイテムに関する情報を記憶するデータベースと、インターネット又は専用線を経由して対戦ゲームのプログラムを提供するサーバとを備えたシステムにおいて、インターネット又は専用線を経由して前記サーバにプログラムを要求した携帯端末に前記サーバから提供される携帯端末を用いた対戦ゲームのプログラムであって、前記データベースに記憶された複数のアイテムの中から選択されたアイテムを用いて対戦ゲームを行う場合に、前記選択されたアイテムの操作で最適な操作タイミングをゲーム進行に応じて画面の指標部に表示する処理と、当該指標部に示されたタイミングで操作が為されると、当該アイテムが対戦相手のアイテムに対して優位性の状態にあることを示す画面を表示する処理とを有することを特徴とするプログラム。
【請求項３】  インターネット又は専用線を経由して携帯端末と通信を行い、前記携帯端末からの要求によって、携帯端末を用いた対戦ゲームのプログラムを配信するサーバであって、複数のアイテムの中から選択されたアイテムを用いて対戦ゲームを行う場合に、前記選択されたアイテムの操作で最適な操作タイミングをゲーム進行に応じて画面の指標部に表示する処理と、当該指標部に示されたタイミングで操作が為されると、当該アイテムが対戦相手のアイテムに対して優位性の状態にあることを示す画面を表示する処理とを有するプログラムを配信することを特徴とするサーバ。
【請求項４】  対戦中にアイテムの優位性を高める特殊な道具を選択利用可能とし、当該道具が選択されると、当該アイテムが当該道具によって優位性を備えるものとなったことを示す画面が表示されることを特徴とする請求項１記載の携帯端末を用いた対戦方法。
【請求項５】  対戦中にアイテムの優位性を高める特殊な道具を選択利用可能とし、当該道具が選択されると、当該アイテムが当該道具によって優位性を備えるものとなったことを示す画面を表示する処理を含むことを特徴とする請求項２記載のプログラム。
【請求項６】  配信するプログラムには、対戦中にアイテムの優位性を高める特殊な道具を選択利用可能とし、当該道具が選択されると、当該アイテムが当該道具によって優位性を備えるものとなったことを示す画面を表示する処理を含むことを特徴とする請求項３記載のサーバ。
【請求項７】  対戦ゲームは、２台のアイテムが速度を競うゲームであり、指標部は、アイテムの速度をシフトさせる最適なタイミングを表示するものであり、アイテムの優位性の状態は、当該アイテムの進行方向への移動距離が長くなったことが画面上に表示されるものであることを特徴とする請求項２記載のプログラム。
【請求項８】  アイテムの優位性を高める特殊な手法は、対戦ゲームが２台のアイテムの速度を競うゲームである場合に、当該アイテムにとって速度を上昇させる特殊な燃料を利用することであることを特徴とする請求項５記載のプログラム。
【手続補正２】
【補正対象書類名】明細書
【補正対象項目名】０００５
【補正方法】変更
【補正の内容】
【０００５】
ただ、動画にするといっても、ゲーム機専用の操作部を用いてゲームを行う場合と違って、携帯電話の場合、電話機用のキーを用いてゲームの操作を行うことになるため、適正な操作が難しいとの問題点があった。
また、操作が適性に適正に行われた否かを効果的に知ることができないという問題点があった。
また、対戦ゲームの場合、初心者はなかなか勝つことができず、ゲームの不慣れな人には敬遠される傾向にあった。
【手続補正３】
【補正対象書類名】明細書
【補正対象項目名】０００８
【補正方法】変更
【補正の内容】
【０００８】
【課題を解決するための手段】
対戦ゲームのプログラム及びユーザ情報としてのアイテムに関する情報を記憶するデータベースと、インターネット又は専用線を経由して対戦ゲームのプログラムを提供するサーバとを備えたシステムにおいて、インターネット又は専用線を経由してサーバにアクセスして、サーバから対戦ゲームのプログラムをダウンロードし、対戦ゲームのプログラムを起動して対戦ゲームを実行する携帯端末を用いた対戦方法であって、データベースに記憶された複数のアイテムの中から選択されたアイテムを用いて対戦ゲームを行う場合に、選択されたアイテムの操作で最適な操作タイミングをゲーム進行に応じて画面の指標部に表示し、当該指標部に示されたタイミングで操作が為されると、当該アイテムが対戦相手のアイテムに対して優位性の状態にあることを示す画面が表示されるものであり、携帯端末の限られた操作部でも容易にかつ明確に操作できる。
【手続補正４】
【補正対象書類名】明細書
【補正対象項目名】０００９
【補正方法】変更
【補正の内容】
【０００９】
本発明は、上記携帯端末を用いた対戦方法において、対戦中にアイテムの優位性を高める特殊な道具を選択利用可能とし、当該道具が選択されると、当該アイテムが当該道具によって優位性を備えるものとなったことを示す画面が表示されるものであり、初心者であっても当該対戦に容易に勝つことができ、初心者の参加を促すことができる。
【手続補正５】
【補正対象書類名】明細書
【補正対象項目名】００５１
【補正方法】変更
【補正の内容】
【００５１】
【発明の効果】
本発明によれば、複数のアイテムの中から選択されたアイテムを用いて対戦ゲームを行う場合に、選択されたアイテムの操作で最適な操作タイミングをゲーム進行に応じて画面の指標部に表示し、当該指標部に示されたタイミングで操作が為されると、当該アイテムが対戦相手のアイテムに対して優位性の状態にあることを示す画面が表示される携帯端末を用いた対戦方法としているので、携帯端末の限られた操作部でも容易にかつ明確に操作できる効果がある。
【手続補正６】
【補正対象書類名】明細書
【補正対象項目名】００５２
【補正方法】変更
【補正の内容】
【００５２】
本発明によれば、対戦中にアイテムの優位性を高める特殊な道具を選択利用可能とし、当該道具が選択されると、当該アイテムが当該道具によって優位性を備えるものとなったことを示す画面が表示される上記携帯端末を用いた対戦方法としているので、初心者であっても当該対戦に容易に勝つことができ、初心者の参加を促すことができる効果がある。
【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】
床面に据え置かれる本体部と、
前記本体部の上部に設けられた画面表示スクリーンと、
前記本体部の高さ中央部に設けられて操作入力を受け入れる操作ユニットと、
前記本体部の内部に設けられて前記操作入力に応じて前記画面表示スクリーン上での画面表示動作を含むゲーム進行処理をなす制御装置と、
を有する据え置き型ゲーム機であって、
前記本体部は、
前記画面表示スクリーンの下方に形成された開口部と、
前記開口部に対して取り外し自在な閉塞部材と、
前記閉塞部材の後方に前記制御装置を載置する載置部と、
前記本体部の高さ中央部から延出し、前記操作ユニットを着脱自在に載置する台部と、
を有することを特徴とする据え置き型ゲーム機。
【請求項２】
前記台部は前記閉塞部材の下方に位置していることを特徴とする請求項１記載の据え置き型ゲーム機。
【請求項３】
前記操作ユニットの上部パネルはこれに設けられた鍵により前記操作ユニットに施錠され、前記鍵を開錠して前記上部パネルに付設されたヒンジ部材により、手前に旋回して開けることができることを特徴とする請求項１から２のいずれかに記載の据え置き型ゲーム機。
【請求項４】
前記本体部の下部には、
該本体部を載置した床面に接して前記本体部の下部に固定される水平部材と、
該水平部材から垂直に延びる直立部材と、
プレーヤの臀部を支持する臀部支持部材と、
を有する椅子部を結合する取り付け部分を有することを特徴とする請求項１から３のいずれかに記載の据え置き型ゲーム機。
【請求項５】
前記本体部の下部または前記椅子部には、  
足操作部を連結する取り付け部分を有することを特徴とする請求項１から４のいずれかに記載の据え置き型ゲーム機。
【手続補正書】
【提出日】平成17年12月26日(2005.12.26)
【手続補正１】
【補正対象書類名】明細書
【補正対象項目名】特許請求の範囲
【補正方法】変更
【補正の内容】
【特許請求の範囲】
【請求項１】
角層細胞の厚さを計測し、角層細胞の厚さが薄いほど角層細胞の完成度が高いと鑑別することを特徴とする、角層細胞の完成度の鑑別法。
【請求項２】
角層細胞の厚さが、角層細胞面積及び／又はその代表値に対する相対的な薄さであることを特徴とする、請求項１に記載の角層細胞の完成度の鑑別法。
【請求項３】
角層細胞の面積が、角層細胞の投影面積であることを特徴とする、請求項２記載の角層細胞の完成度の鑑別法。
【請求項４】
請求項１〜３の何れか１項に記載の角層細胞の完成度の鑑別法によって鑑別された角層細胞の完成度が高いほど、皮膚の状態が良いと鑑別することを特徴とする、皮膚の状態の鑑別法。
【手続補正２】
【補正対象書類名】明細書
【補正対象項目名】０００６
【補正方法】変更
【補正の内容】
【０００６】
【課題の解決手段】
本発明者らは、この様な状況に鑑みて、より的確に皮膚の状態を鑑別する手段を求め、鋭意研究努力を重ねた結果、角層細胞の厚さより角層細胞の完成度を鑑別し、該完成度を指標に皮膚の状態を鑑別することにより、より正確な皮膚の状態の鑑別が為しうることを見出し、発明を完成させるに至った。即ち、本発明は以下に示す技術に関するものである。（１）角層細胞の厚さを計測し、角質細胞の厚さが薄いほど角質細胞の完成度が高いと鑑別することを特徴とする、角層細胞の完成度の鑑別法。
（２）角層細胞の厚さが、角層細胞面積及び／又はその代表値に対する相対的な薄さであることを特徴とする、（１）に記載の角層細胞の完成度の鑑別法。
（３）角層細胞の面積が、角層細胞の投影面積であることを特徴とする、（２）記載の角層細胞の完成度の鑑別法。
（４）（１）〜（３）何れか１項に記載の角層細胞の完成度の鑑別法によって鑑別された角質細胞の完成度が高いほど、皮膚の状態が良いと鑑別することを特徴とする、皮膚の状
態の鑑別法。
【手続補正３】
【補正対象書類名】明細書
【補正対象項目名】０００７
【補正方法】変更
【補正の内容】
【０００７】
【発明の実施の形態】
本発明の角層細胞の完成度の鑑別法は、角層細胞の厚さを計測し、角層細胞の厚さが薄いほど角層細胞の完成度が高いと鑑別することを特徴とする。即ち、角層細胞は真皮側より表皮側へターンオーバーしながら上がってくる細胞である。本発明者らは、そのターンオーバーの機能を調査するべく、その表皮側への上がってくる過程の角層細胞の形状の変化を追ったところ、角層を形成するようになってからも角層細胞は上がるに従って形状を偏平に変化させてゆくことを見出した。又、同時に多数の個体の角層細胞の形状を計測すると、角層細胞の体積は、個体差が極めて大きいことがわかった。即ち、これまで、皮膚の状態の鑑別は、表皮に於ける角層細胞の面積、実際には投影面積の大きさを指標に、「充分に偏平になって投影面積が大きくなった角層細胞を有する皮膚ほど良い状態である」と言う指標のもとに行っていた。しかしながら、基礎となる角層細胞の体積そのものに個体による大きな揺らぎが存在する以上、偏平な形状の代替値としての投影面積では、その直線回帰性は損なわれてしまう。直線回帰性を高め、より確実な皮膚状態の鑑別を行うためには、投影面積ではなく厚さそのものを指標とすることが必要となる。かかる厚さは角層細胞を個々の細胞にほぐして、原子間力顕微鏡により観察することにより計測できる。ほぐれた角層細胞を得るためには、次のような操作を行えばよい。
【手続補正４】
【補正対象書類名】明細書
【補正対象項目名】００１２
【補正方法】変更
【補正の内容】
【００１２】
かくして得られた角層細胞を原子間力顕微鏡で観察し、形状を計測しこれより得られた厚みにより、皮膚状態を鑑別することを本発明は特徴とする。ここで厚みとしては、計測値をそのまま使用することも可能であるが、より正確に鑑別するためには、計測で得られた投影面積を厚みで除した、投影面積に対する相対的な薄さ、言い換えれば単位厚さあたりの投影面積、更に言い換えれば、偏平の度合いを指標にすることが好ましい。これは、角層細胞がどれだけ偏平になっているかの方が、実際の厚みよりも完成度を反映した値だからである。この偏平の度合いのことを以後、単に偏平指数と呼ぶことがある。この値が大きいほど、角層細胞は偏平になっており、完成度が高いと鑑別される。完成度の高い角層細胞が表皮に存在すれば、皮膚バリア機能も充分に有することになる。又、完成度の高い角層細胞が表皮から脱落すると、表皮には完成度の低い偏平度の少ない角層細胞が存在するため、皮膚バリア機能は低下し、経皮的水分散逸などの程度が高くなり、肌状態は悪くなる。角層細胞の標準的な正常値は、投影面積は６００〜１０００μｍ2程度、角層細胞体積は２００〜３００μｍ3程度、角層細胞の厚みは０．１〜０．３μｍ程度、角層細胞の偏平指数は５０００〜１２０００程度である。この値を指標とし、角層細胞の厚み或いは偏平指数を鑑別し、厚みが薄い程、偏平指数が高いほど皮膚の状態は良く、厚みが厚いほど、偏平指数が低いほど皮膚の状態は悪いと鑑別するのが、本発明の皮膚の状態の鑑別法である。